(57)【特許請求の範囲】
【請求項１】
電化製品を遠隔から制御するためにその電化製品について定義された制御データを、前記電化製品を遠隔から制御するプログラムを実行する携帯端末に対してネットワーク経由で送信し、
前記プログラムの動作のもとで、ユーザによる前記携帯端末の操作と前記電化製品の制御とを前記制御データを用いて関連づけ、
これにより前記携帯端末を前記電化製品のリモートコントローラとして機能させ、
前記携帯端末のユーザに関する情報を予め登録し、
前記ユーザに関する情報を、前記制御対象となる電化製品の販売時に、その販売店を通じて前記ユーザから受け取り、
前記ユーザに関する情報の仲介に応じて前記販売店に特典を付与する処理、
前記ユーザに関する情報の仲介に応じて前記販売店に関する広告情報を前記ユーザの携帯端末に配信する処理、
または、前記ユーザに関する情報の提供に応じて、前記販売店における前記電化製品の購入代金を割り引くクーポンを、その販売店を介して前記ユーザに付与する処理
のうちの少なくとも一つの処理を実行し、
前記制御データには、制御対象となる電化製品が持つ機能に割り当てられた制御コードと、前記携帯端末の画面上に表示されるべきリモートコントローラに配置されるボタンとの対応関係が定義され、
前記制御データによって前記携帯端末は、前記制御データに基づいてリモートコントローラの外観画像を画面に表示し、前記外観画像に含まれるボタンのうち押下されたものを検出し、その押下されたボタンに対応する制御コードを前記電化製品に近距離無線通信方式で送信する
電化製品制御方法。
【請求項２】
電化製品を遠隔から制御するための制御データを、複数の電化製品について保持するデータ記憶部と、
前記制御データを携帯端末に対してネットワーク経由で送信するデータ提供部と、
前記携帯端末のユーザに関する情報を予め登録するユーザ管理部と、
前記ユーザに関する情報を、前記制御対象となる電化製品の販売時に、その販売店を通じて前記ユーザから受け取る登録受付部と、
前記ユーザに関する情報の仲介に応じて前記販売店に特典を付与する処理、
前記ユーザに関する情報の仲介に応じて前記販売店に関する広告情報を前記ユーザの携帯端末に配信する処理、
または、前記ユーザに関する情報の提供に応じて、前記販売店における前記電化製品の購入代金を割り引くクーポンを、その販売店を介して前記ユーザに付与する処理
のうちの少なくとも一つの処理を実行する特典管理部と
を有し、
前記制御データには、制御対象となる電化製品が持つ機能に割り当てられた制御コードと、前記携帯端末の画面上に表示されるべきリモートコントローラに配置されるボタンとの対応関係が定義され、
前記制御データによって前記携帯端末は、前記制御データに基づいてリモートコントローラの外観画像を画面に表示し、前記外観画像に含まれるボタンのうち押下されたものを検出し、その押下されたボタンに対応する制御コードを前記電化製品に近距離無線通信方式で送信する
電化製品制御装置。
【請求項３】
リモートコントローラの外観画像を複数保持する画像格納部と、
前記携帯端末のユーザから指示を受けて前記画像格納部から外観画像を選択する画像選択部と
をさらに有し、
前記データ提供部は、前記選択された外観画像を前記携帯端末に対して前記ネットワーク経由で提供する
請求項２に記載の電化製品制御装置。
【請求項４】
前記携帯端末のユーザに関する情報を予め登録するユーザ管理部と、
前記登録されたユーザに関する情報に基づき、前記制御データの提供に対する料金をその提供先であるユーザに課金する課金処理部と
をさらに有する請求項２または３に記載の電化製品制御装置。
【発明の詳細な説明】
【０００１】
【発明の属する技術分野】
この発明は、電化製品制御方法および装置に関する。この発明は特に、携帯端末にデータを配信する技術に関する。
【０００２】
【従来の技術】
高度情報通信時代を迎えた現在、一般家庭にもデジタル技術が急速に浸透しつつある。かつては、音楽用メディアがレコード盤からコンパクトディスクへと移行して革新的な変化を遂げ、それ以来ミニディスクなどの新たな製品規格が一般化した。ここ数年は、デジタルスチルカメラ、デジタルビデオカメラ、ディジタル多目的ディスク（ＤＶＤ）などのデジタル技術が次々と登場し、いずれも急激に普及している。
また、これと並行してテレビジョン放送にもデジタル化の波が押し寄せている。ＣＳデジタル放送に続いてＢＳデジタル放送も開始され、数年後には地上波放送もデジタル化されようとしている。これに合わせる形で、デジタルチューナやデジタルテレビが登場し、新たな製品の登場はとどまるところを知らない。
【０００３】
【発明が解決しようとする課題】
こうした技術革新を背景として、一般家庭では電化製品が増えるごとにそれらの操作法に悩まされる。多くの製品はリモートコントローラ（以下、適宜「リモコン」と略す。）によって操作できるが、製品を購入するたびにその分リモコンの数も増えていく。人々は複数のリモコンを使い分けながら、テレビ、ビデオ、オーディオなどをそれぞれ制御する。
【０００４】
一方、複数のリモコンを統合するものとして、いわゆる汎用リモコンが単体で市販されている。この汎用リモコンのボタンには、主要各社のテレビやビデオなどの赤外線信号パターンが予め割り当てられており、設定を切り替えるだけで使い分けができる。電化製品とは別に汎用リモコンを購入すれば、所定のいくつかの電化製品に対する制御を一つのリモコンに集約できる。その他、各ボタンに後から信号パターンを割り当てられる学習リモコンも単体で市販されている。
しかしながら、これらのリモコンに設けられたボタンの数や配置は固定的なため、主要な機能以外にはボタンを割り当てる余裕がなく、柔軟な対応が難しい。しかも、テレビ操作とビデオ操作で設定を切り替えても、ボタン配列などに変化がないため却って誤操作を招く場合もある。
また、使用の有無にかかわらず購入する製品には必ずリモコンが同梱されるので、別途汎用リモコンを購入する場合にはメーカー、ユーザ双方にとって無駄が多い。
【０００５】
本発明者は、以上の認識に基づき本発明をなしたもので、その目的は、リモコン対応機器の操作において利便性を高める技術の提供にある。
【０００６】
【課題を解決するための手段】
本発明のある態様は、電化製品制御方法に関する。この方法は、電化製品を遠隔から制御するためにその電化製品について定義された制御データを、その電化製品を遠隔から制御するプログラムを実行する携帯端末に対してネットワーク経由で送信し、そのプログラムの動作のもとで、ユーザによる携帯端末の操作と電化製品の制御とを制御データを用いて関連づけ、これにより携帯端末を電化製品のリモートコントローラとして機能させる。
【０００７】
ここで、「電化製品」には、例えばテレビジョン受像機（以下、単に「テレビ」という。）、ビデオデッキ、衛星放送チューナ、各種オーディオ機器、エアーコンディショナなどのリモコン機能付き製品が含まれる。「制御データ」には、リモコンから各種機器に向けて発せられる制御用の信号パターンの他、搬送波周波数などの制御に必要な情報が含まれてもよい。この制御データは、携帯端末によって実行される遠隔制御プログラムとは別体に形成され、制御データの追加や置き換えだけであらゆる電化製品に対応できる。
【０００８】
「携帯端末」は、ＰＤＡ（Personal Digital Assistants）や携帯電話など、プログラムをインストールしてこれを実行できる携帯型の機器をいう。ユーザは自己が所有する携帯端末をリモコンとして活用できるので市販の汎用リモコンを別途購入する必要がなく、従ってハードウエアの数が増えることもない。メーカー側にとっては、携帯端末を所有するユーザに対して製品にリモコンが付属しないオプションを設けることができる。
【０００９】
本発明の別の態様は、電化製品制御装置に関する。この装置は、電化製品を遠隔から制御するための制御データを、複数の電化製品について保持するデータ記憶部と、制御データを携帯端末に対してネットワーク経由で送信するデータ提供部と、を有し、制御データには、制御対象となる電化製品が持つ機能に割り当てられた制御コードと、携帯端末の画面上に表示されるべきリモートコントローラに配置されるボタンとの対応関係が定義され、制御データによって携帯端末は、制御データに基づいてリモートコントローラの外観画像を画面に表示し、外観画像に含まれるボタンのうち押下されたものを検出し、その押下されたボタンに対応する制御コードを電化製品に近距離無線通信方式で送信する。
【００１０】
かかるリモコンの画面にはタッチパネルが装着され、画面に表示されたリモコンのボタン部分を押下すると、そのボタンの位置に対応づけられた制御コードが電化製品に向けて発せられる。「近距離無線通信方式」は、赤外線通信を含む。制御データは、あらゆる電化製品に関して用意しておくことができる。新製品に対しても制御データを定義するだけでソフトウエア的に対応できる。
【００１１】
リモートコントローラの外観画像を複数保持する画像格納部と、携帯端末のユーザから指示を受けて画像格納部から外観画像を選択する画像選択部と、をさらに有し、データ提供部は、選択された外観画像を携帯端末に対してネットワーク経由で提供してもよい。外観画像は、電化製品ごとに設定できる。これにより、ボタンの数や配置などにおいて電化製品ごとに柔軟に対応できるとともに、制御する対象を切り替えたときの誤操作を低減させることができる。
【００１４】
なお、以上の構成要素の任意の組合せや、本発明の構成要素や表現を方法、装置、コンピュータプログラムなどの間で相互に置換したものもまた、本発明の態様として有効である。
【００１５】
【発明の実施の形態】
（第１実施形態）
本実施形態においては、携帯端末の画面に電化製品のリモコンを表示させ、その携帯端末をリモコンとして機能させる。画面上のリモコンのボタンをユーザが押下すると、対応する制御コードが携帯端末の赤外線ポートから電化製品に向けて発せられる。これらの機能は携帯端末にインストールされるプログラムによって実現される。ユーザは使用する電化製品に対応した制御データやリモコンの外観画像をサーバからダウンロードする。
【００１６】
リモコンとしての主要な機能や外観仕様がソフトウエアによって実現され、ボタンの数や配置などのハードウエア的な制約を受けないため、あらゆる電化製品のリモコンとして柔軟に対応できる。
【００１７】
図１は、電化製品制御システムの構成を示す。電化製品制御システム１０は、インターネット１６を介して接続された複数の携帯端末１２、複数の販売店端末１８、および電化製品制御サーバ１４を含む。
【００１８】
携帯端末１２、販売店端末１８、および電化製品制御サーバ１４は、ハードウエア的には、コンピュータのＣＰＵをはじめとする素子で実現でき、ソフトウエア的にはデータ送受信機能のあるプログラム等によって実現されるが、以下説明する図２、図３ではそれらの連携によって実現される機能ブロックを描いている。したがって、これらの機能ブロックはハードウエア、ソフトウエアの組合せによっていろいろなかたちで実現できる。電化製品制御サーバ１４は、ウェブサーバを含む構成でＡＳＰ（Application Service Provider）的に構築されてもよいし、携帯端末１２は、ＰＤＡと、これにインストールされたウェブブラウザを含む構成であってもよい。
【００１９】
図２は、電化製品制御サーバの構成を示す機能ブロック図である。電化製品制御サーバ１４は、通信部２０、データ記憶部２２、選択処理部２４、データ提供部２６、登録受付部２８、情報配信部３０、ユーザ管理部３２、特典管理部３４、および課金処理部３６を含む。各機能ブロックは通信部２０を介してインターネット１６上の携帯端末１２、販売店端末１８との間でデータを送受信する。通信部２０は、データ送受信機能のほか、ルータ機能やサーバ機能を有してもよい。
【００２０】
データ記憶部２２は、制御データ格納部３８および外観画像格納部４０を含む。制御データ格納部３８は、電化製品を遠隔から制御するための制御データを複数の電化製品について保持する。制御データには、制御対象となる電化製品が持つ機能に割り当てられた制御コードと、携帯端末の画面上に表示されるべきリモコンに配置されるボタンとの対応関係が定義される。この対応関係は、ユーザの希望に応じて定義してもよい。外観画像格納部４０は、リモコンの外観画像を複数保持する。外観画像は、携帯端末の画面形状に合わせて複数種用意してもよいし、電化製品の種類に合わせて複数種用意してもよい。
【００２１】
制御データおよび外観画像に基づき、携帯端末１２は、リモコンの外観画像を画面に表示し、外観画像に含まれるボタンのうち押下されたものを検出し、その押下されたボタンに対応する制御コードを電化製品に赤外線で送信する。携帯端末１２の構成に関しては後述する。
【００２２】
選択処理部２４は、制御データ選択部４２および外観画像選択部４４を含む。制御データ選択部４２は、携帯端末１２からの指示に基づいて制御対象となる電化製品を特定し、その制御データを制御データ格納部３８から選択する。外観画像選択部４４は、携帯端末１２からの指示に基づき、制御対象の電化製品に対応する外観画像またはユーザが希望する外観画像を外観画像格納部４０から選択する。
【００２３】
データ提供部２６は、送信処理部４６および提供管理部４８を含む。送信処理部４６は、制御データ選択部４２により選択された制御データまたは外観画像選択部４４により選択された外観画像を携帯端末１２へ送信する。提供管理部４８は、制御データまたは外観画像の送信ログを管理する。
【００２４】
ユーザ管理部３２は、制御データおよび外観画像のダウンロードサービスの利用者として、携帯端末１２のユーザに関する情報（以下、「ユーザ情報」という。）を予め登録する。ユーザ情報には、例えば、氏名、住所、クレジットカード情報などの個人情報の他、使用する電化製品のメーカー、製品カテゴリ、型番などの制御対象となる電化製品に関する情報が含まれる。登録受付部２８は、ユーザ情報を携帯端末１２またはユーザのＰＣから受信する。
【００２５】
課金処理部３６は、登録されたユーザ情報に基づき、制御データまたは外観画像の提供に対する料金をその提供先であるユーザに課金する。すなわち、ユーザが制御データや外観画像をダウンロードする度にその料金が課金される。特典管理部３４は、ユーザ情報の提供に応じてそのユーザに特典を付与する。このように特典を付与することにより積極的なユーザ登録を促進する。情報配信部３０は、携帯端末１２に広告などの情報を配信する。
【００２６】
図３は、携帯端末の構成を示す機能ブロック図である。携帯端末１２は、通信部５０、入力検出部５２、制御切替部５４、データ記憶部５６、表示処理部５８、データ取得部６０、および制御処理部７０を含む。各機能ブロックは通信部５０を介してインターネット１６上の電化製品制御サーバ１４との間でデータを送受信する。これら各機能はプログラムによって実現される。携帯端末１２は、このプログラムを電化製品制御サーバ１４からダウンロードしてもよい。
【００２７】
データ取得部６０は、携帯端末１２のユーザによる指示に基づいて、制御データまたは外観画像を電化製品制御サーバ１４からダウンロードする。携帯端末１２を任意のパーソナルコンピュータ（以下、「ＰＣ」と略す。）と連携させた上で、そのＰＣによってダウンロードされた制御データまたは外観画像をデータ取得部６０が取得してもよい。
【００２８】
データ取得部６０は、機器特定部６６および受信処理部６８を含む。機器特定部６６は、制御対象となる電化製品を指定する。受信処理部６８は、機器特定部６６によって指定された電化製品に対応する制御データまたは外観画像のダウンロードを処理する。ユーザが好みの外観画像を指定し、これをデータ取得部６０がダウンロードしてもよい。ダウンロードされた制御データまたは外観画像は、データ記憶部５６の制御データ格納部６２または外観画像格納部６４にそれぞれ格納される。これらデータの格納にあたり、制御データに定義された制御コードとボタンとの対応関係をユーザの好みに組み替えてもよい。または、画面上にて複数のボタンのそれぞれが表示される位置をユーザの好みに設定し直してもよい。
【００２９】
表示処理部５８は、制御データに基づいてリモコンの外観画像を画面に表示する。入力検出部５２は、ユーザによるタッチパネル一体画面の押下を検出するとともに、外観画像に含まれるボタンのうち押下されたものを検出する。ユーザは、いわゆるスタイラスペンを用いて画面を押下してもよい。
【００３０】
制御処理部７０は、押下されたボタンに対応する制御コードを電化製品に送信する。制御処理部７０は、アドレス設定部７２、赤外線通信部７４、ネットワーク通信部７６、および制御コード選択部７８を含む。アドレス設定部７２は、制御コードの送信先の論理アドレスまたは物理アドレスを指定する。制御コード選択部７８は、入力検出部５２による検出結果に基づき、送信すべき制御コードを制御データ格納部６２から選択する。
【００３１】
赤外線通信部７４は、制御コードを赤外線通信方式で電化製品に送信する。ネットワーク通信部７６は、制御コードを通信部５０を介したインターネット１６経由で電化製品に送信し、その制御結果を電化製品から受け取る。インターネット１６経由での制御コードの送信は、電化製品制御サーバ１４を介して行われてもよい。制御切替部５４は、赤外線通信部７４による送信とネットワーク通信部７６による送信とを切り替える。ユーザは、屋内にいるか屋外にいるかで通信方式を切り替える。屋外からは、例えばビデオの録画予約設定などを操作できる。このように、屋内外を問わない遠隔操作を１つの携帯端末で実現できる。
【００３２】
図４は、ユーザ情報を登録する画面を示す。本図はＰＣの画面であり、ＰＣを用いてユーザ情報を登録する例を示すが、インターネット１６経由で電化製品制御サーバ１４に接続した携帯端末１２の画面上でユーザ情報を登録してもよい。ユーザは、図に示すように希望するユーザＩＤやパスワード、電化製品のメーカー、製品カテゴリ、型番を登録する。その他、氏名やクレジットカード情報をこの画面にて登録させてもよい。ユーザはこの画面で登録したＩＤとパスワードによって電化製品制御サーバ１４に管理される。制御データや外観画像をダウンロードするときは、このＩＤとパスワードを用いて電化製品制御サーバ１４へログインする。
【００３３】
図５は、画面にリモコン画像が表示された携帯端末の外観を示す。本図ではテレビリモコンの外観を表示した場合を例示する。ユーザがリモコン上のボタン位置を押下すると、その位置に予め関連づけられた制御コードが携帯端末１２の赤外線ポート８２から電化製品に向けて発せされる。ユーザが切替ボタン８０を押下すると、赤外線ポート８２経由の制御とインターネット１６経由の制御が切り替わる。この携帯端末１２は、図示しない無線通信機能によるインターネット１６経由で電化製品制御サーバ１４へ接続される。
【００３４】
図示する携帯端末はＰＤＡであるが、インターネット機能付きの携帯電話の画面にリモコンの画像を表示させてもよい。この場合、電話のテンキーにいくつかのリモコンボタン機能を割り当ててもよい。
【００３５】
図６は、電化製品と制御データの対応関係のテーブルを示す。本図に示す通り、メーカー名、製品カテゴリ、型番、制御データ名の対応関係がテーブルに含まれる。例えば、Ａ社のテレビ「ATV-0123」には制御データ「0100100123」が対応する。このテーブルに基づいて図２の制御データ格納部３８から制御データが選択される。
【００３６】
図７は、制御データに含まれるデータ内容のテーブルを示す。本図に示す通り、制御データ名と外観画像の対応関係がテーブルに含まれる他、キャリア周波数や「電源オン」、「電源オフ」、「１ｃｈ」、「２ｃｈ」といった制御コードが定義されている。例えば、制御データ「0100100123」には外観画像「ＡＴＶ−０１２３．ｊｐｇ」が対応するとともに、キャリア周波数「40.1KHz」、電源オンの制御コード「00110101」、電源オフの制御コード「00110100」などが定義される。
【００３７】
以上の構成による動作を以下説明する。
図８は、電化製品制御システムの動作手順を示すフローチャートである。まず、ユーザは販売店にて電化製品を購入し（Ｓ１０）、ユーザ登録をする（Ｓ１２）。ユーザ情報は電化製品制御サーバ１４へ送られ、ユーザは特典を受け取る（Ｓ１４）。
【００３８】
ユーザは携帯端末１２に制御データおよび外観画像をダウンロードし（Ｓ１６）、そのダウンロードに対して課金処理がなされる（Ｓ１８）。プログラムを起動してリモコンの画像を画面に表示させ（Ｓ２０）、画面中のボタンを押下すると（Ｓ２２Ｙ）、対応する制御コードが選択され（Ｓ２４）、赤外線で送信される（Ｓ２６）。
【００３９】
ここで、ユーザが屋内にいるか屋外にいるかによって制御コードの送信方式を切り替える操作をした場合（Ｓ２８Ｙ）、送信方式を赤外線方式と無線方式のいずれかに切り替える（Ｓ３０）。電化製品を操作する間（Ｓ３２）、Ｓ２２からＳ３０の手順を繰り返す。
【００４０】
（第２実施形態）
本実施形態は、電化製品の販売店経由でユーザ情報を受け取る点で第１実施形態と異なる。すなわち、電化製品制御サーバ１４の登録受付部２８は、制御対象となる電化製品の販売時に、その販売店の端末１８を通じてユーザからユーザ情報を受け取る。特典管理部３４は、ユーザ情報の提供に応じて、販売店における電化製品の購入代金を割り引くクーポンを、その販売店端末１８を介してそのユーザに付与する。販売時に割引を実施することによって積極的なユーザ登録を促進する。
【００４１】
販売店は、店頭でのユーザ登録を条件に、通常のハードウエアリモコンを付属させない状態で電化製品を販売してもよい。この場合、リモコンの分だけ代金を割り引いてもよい。このような割引によっても積極的なユーザ登録を促すことができる。
【００４２】
（第３実施形態）
本実施形態は、ユーザ登録に対する特典を電化製品の販売店に付与する点で第１または第２実施形態と異なる。すなわち、電化製品制御サーバ１４の特典管理部３４は、ユーザ情報を仲介した販売店に対し、その仲介に応じた特典を付与する。このような特典を設けることにより、販売店によるユーザ登録の仲介を促進する。販売店は、独自に顧客情報として所有するユーザ情報をそのまま電化製品制御サーバ１４へ送信してもよい。特典は、例えば電化製品制御サーバ１４がユーザから得るサービス料金の一部を販売店への手数料として分配する形でもよい。
【００４３】
（第４実施形態）
本実施形態は、販売店に付与する特典としてその販売店の広告配信を代理する点で第３実施形態と異なる。すなわち、電化製品制御サーバ１４の情報配信部３０は、ユーザ情報を仲介した販売店に関する広告情報をそのユーザの携帯端末１２に配信する。このような特典を設けることにより、販売店によるユーザ登録の仲介を促進する。
【００４４】
以上、本発明をいくつかの実施形態をもとに説明した。この実施形態は例示であり、それらの各構成要素や各処理プロセスの組合せにいろいろな変形が可能なこと、またそうした変形例も本発明の範囲にあることは当業者に理解されるところである。以下、変形例をいくつか挙げる。
【００４５】
上記の実施形態においては、屋内での制御コード送信に赤外線通信を用いたが、これを赤外線以外の近距離無線通信に置き換えてもよい。また、上記の実施形態においては、屋内での使用と屋外での使用を手動で切り替える構成としていたが、これを自動的に切替制御してもよい。例えば、電化製品が携帯端末の通信可能範囲にあるかどうかを近距離無線通信で検出することによって屋内か屋外かを判別してもよい。
【００４６】
携帯端末１２が実行するプログラムを専用装置から携帯端末１２に転送してインストールさせてもよい。その専用装置を例えば販売店の店頭などに設置してもよい。
【００４７】
上記の実施形態においては、リモコンとして機能するボタンを全てソフトウエア的に画面表示していたが、携帯端末１２が有するハードウエアボタンに機能の一部を割り当てる構成としてもよい。また、ユーザが任意の外観画像を選択して、各ボタンに任意の機能を割り当ててもよい。この場合、１つの機能を２つ以上のボタンに割り当ててしまったときや、例えば再生ボタンに録画ボタンを割り当ててしまったときに、これを検出して警告する機能を備えてもよい。
【００４８】
【発明の効果】
本発明によれば、リモコンに対応した電化製品の操作において利便性を高めることができる。
【図面の簡単な説明】
【図１】  電化製品制御システムの構成を示す図である。
【図２】  電化製品制御サーバの構成を示す機能ブロック図である。
【図３】  携帯端末の構成を示す機能ブロック図である。
【図４】  ユーザ情報を登録する画面を示す図である。
【図５】  画面にリモコン画像が表示された携帯端末の外観を示す図である。
【図６】  電化製品と制御データの対応関係のテーブルを示す図である。
【図７】  制御データに含まれるデータ内容のテーブルを示す図である。
【図８】  電化製品制御システムの動作手順を示すフローチャートである。
【符号の説明】
１０  電化製品制御システム、  １２  携帯端末、  １４  電化製品制御サーバ、  １６  インターネット、  １８  販売店端末、  ２２  データ記憶部、  ２６  データ提供部、  ２８  登録受付部、  ３０  情報配信部、  ３２  ユーザ管理部、  ３４  特典管理部、  ３６  課金処理部、  ４０  外観画像格納部、  ４４  外観画像選択部、  ５２  入力検出部、  ５８  表示処理部、  ６０データ取得部、  ７０  制御処理部。
【図１】
0004686915.tif 000002
【図２】
0004686915.tif 000003
【図３】
0004686915.tif 000004
【図４】
0004686915.tif 000005
【図５】
0004686915.tif 000006
【図６】
0004686915.tif 000007
【図７】
0004686915.tif 000008
【図８】
0004686915.tif 000009